(57)【特許請求の範囲】
【請求項１】
２局以上の送信局から共通パイロット信号と所望信号で構成される受信信号を受け取り、その後の処理を当該送信局単位に実行するスペクトル拡散受信装置において、
前記送信局単位に、
前記受信信号を逆拡散する逆拡散手段と、
当該逆拡散結果から伝搬路特性を推定する伝搬路特性推定手段と、
前記逆拡散結果と当該伝搬路特性推定結果の複素共役とを乗算する乗算手段と、
前記伝送路推定値と、予め既知の他の送信局が送信する共通パイロット信号と、の相関成分を計算する相関成分計算手段と、
前記乗算後の信号から、他の相関成分計算手段にて計算された相関成分を減算する減算手段と、
を備えることを特徴とするスペクトル拡散受信装置。
【請求項２】
前記相関成分計算手段にて計算された相関成分に対して、定数値または受信条件に応じて設定可能な最適値を用いて重み付けを行うことを特徴とする請求項１に記載のスペクトル拡散受信装置。
【請求項３】
２局以上の送信局から共通パイロット信号と所望信号で構成される受信信号を受け取り、その後の処理を当該送信局単位に実行するスペクトル拡散受信装置において、
前記送信局単位に、
前記受信信号を逆拡散する複数の逆拡散手段と、
当該各逆拡散結果から伝搬路特性を個別に推定する複数の伝搬路特性推定手段と、
前記各逆拡散結果とそれに対応する当該伝搬路特性推定結果の複素共役とを個別に乗算する乗算手段と、
当該各伝送路推定結果に基づいて、自送信局に対応する受信信号と他の送信局が送信する共通パイロット信号との相関成分を個別に計算する相関成分計算手段と、
当該各乗算結果から、他の相関成分計算手段にて計算された相関成分を個別に減算する複数の減算手段と、
を備えることを特徴とするスペクトル拡散受信装置。
【請求項４】
前記相関成分計算手段にて個別に計算された各相関成分に対して、定数値または受信条件に応じて設定可能な最適値を用いて重み付けを行うことを特徴とする請求項３に記載のスペクトル拡散受信装置。
【発明の詳細な説明】
【０００１】
【発明の属する技術分野】
本発明は、自動車電話や携帯電話をはじめとする移動体通信，衛星通信，または屋内通信などで利用されるスペクトル拡散受信装置に関するものであり、特に、干渉成分を除去するための機能を備えたスペクトル拡散受信装置に関するものである。
【０００２】
【従来の技術】
以下、従来のスペクトル拡散受信装置について説明する。たとえば、スペクトル拡散方式では、各チャネルに異なる拡散符号を割り当て、全チャネルが同一周波数帯域を共有する。このような通信方式では、各チャネルに割り当てた拡散符号の相互相関により他チャネルの信号が干渉信号となるため、チャネル数の増加に伴って受信特性が劣化する。受信特性劣化の要因となる干渉信号としては、たとえば、マルチパス環境下における自チャネルのマルチパス信号成分や、同一局から送信される他チャネル信号およびそのマルチパス信号成分や、他局から送信される信号およびそのマルチパス信号成分、等がある。したがって、これらの干渉信号を除去することで、所望信号に対する信号電力対干渉電力比（ＳＩＲ）が向上し、所望信号の受信特性を改善できる。
【０００３】
上記、干渉信号を除去可能な従来のスペクトル拡散装置としては、たとえば、特開平１０−３２７１２６号公報に記載の「ＣＤＭＡ受信機」があり、ここでは、パイロット信号干渉除去技術を用いたスペクトル拡散受信装置が記載されている。
【０００４】
上記従来のスペクトル拡散受信装置は、マルチパス環境下において、所望信号と非直交関係にあるマルチパス信号のなかから共通パイロット信号成分を差し引く。共通パイロット信号成分は、受信信号全電力に占める比率が高いので、これだけでも所望ユーザ信号の受信特性改善効果は大きい。なお、共通パイロット信号は、スペクトル拡散受信機にとって既知であるため、干渉レプリカ生成における仮判定が不要となる。
【０００５】
図５は、従来のスペクトル拡散受信装置の構成を示す図である。なお、ここでは、２フィンガの場合を一例として説明する。図５において、１０１は受信信号であり、１０２，１０３はオンタイムセレクタ（ＯＴＳ）であり、１０４，１０５は差分器であり、１０６，１０７はフィンガであり、１０８はＤＳＰであり、１１１，１１２は逆拡散部であり、１１３は伝搬路推定部であり、１１４は乗算器であり、１１５はパイロット信号生成部である。
【０００６】
まず、ＯＴＳ１０２では、オーバーサンプルされた受信信号１０１を受け取り、オーバーサンプル点のなかから１点を選択し、その選択結果を出力する。つぎに、マルチパス受信信号をそれぞれ割り当てられたフィンガ１０６および１０７では、それぞれ受信信号の逆拡散処理，伝搬路推定処理，および復調処理を行う。なお、フィンガ１０６およびフィンガ１０７は、個別にパイロット信号生成部１１５を備える。
【０００７】
各パイロット信号生成部では、伝搬路推定処理において推定された受信信号の減衰，位相，およびパス遅延情報を用いて、個々のフィンガで復調した受信チャネルに対応する共通パイロット信号のレプリカを生成する。ただし、共通パイロットシンボルは、スペクトル拡散受信装置にとって既知である。そして、各パイロット信号再生部で生成したパイロット信号成分のレプリカ、すなわち、他のマルチパス受信信号に対応するパイロット信号成分のレプリカ、を受け取った各差分器では、各ＯＴＳの出力から当該他のマルチパス受信信号に対応するパイロット信号成分のレプリカを減算する。
【０００８】
このように、従来のスペクトル拡散受信装置では、干渉成分となるマルチパスの共通パイロット信号成分が除去される。すなわち、フィンガ（０）に割り当てられた受信信号からはフィンガ（１）が受け取る共通パイロット信号成分を除去し、同時に、フィンガ（１）に割り当てられた受信信号からはフィンガ（０）が受け取る共通パイロット信号成分を除去する。
【０００９】
【発明が解決しようとする課題】
しかしながら、上記、従来のスペクトル拡散受信装置では、干渉成分除去対象が所望信号と同一局から送信された共通パイロット信号成分のマルチパス成分であるため、パイロット信号以外の干渉成分が存在するような場合、受信信号からその干渉成分を除去することができず、受信特性を低下させる、という問題があった。
【００１０】
また、パイロット信号以外の干渉成分が存在する場合としては、たとえば、２つ以上の送信局から送信信号を同時受信するような状況も考えられる。この場合、他の送信局の送信信号が干渉信号となり、受信特性を劣化させる。しかしながら、上記従来のスペクトル拡散受信装置においては、所望信号を送信する送信局以外の送信局からの送信信号成分を除去するための手段を持っていないため、受信特性を改善できない、という問題があった。
【００１１】
また、従来のスペクトル拡散受信装置では、フィンガ単位にパイロット信号を再生するため、フィンガ数と同数のパイロット信号再生部が必要となる。その結果、回路規模が大きくなり、消費電力も増大する、という問題があった．
【００１２】
本発明は、上記に鑑みてなされたものであって、他局からの共通パイロット信号およびそのマルチパス成分による干渉成分を除去することで、所望信号に対する信号電力比対干渉電力比の向上、さらには受信特性の向上を実現可能なスペクトル拡散受信装置を得ることを目的とする。
【００１３】
【課題を解決するための手段】
上述した課題を解決し、目的を達成するために、本発明にかかるスペクトル拡散受信装置にあっては、２局以上の送信局から共通パイロット信号と所望信号で構成される受信信号を受け取り、その後の処理を当該送信局単位に実行する構成とし、さらに、前記送信局単位に、前記受信信号から、他の送信局からの共通パイロット信号のレプリカを減算する減算手段（後述する実施の形態の減算器１，２に相当）と、当該減算結果に基づいて所望信号を逆拡散する逆拡散手段（逆拡散処理部２１，２２に相当）と、当該逆拡散結果から伝搬路特性を推定する伝搬路特性推定手段（伝搬路特性推定部２３，２４に相当）と、前記逆拡散結果と当該伝搬路特性推定結果の複素共役とを乗算する乗算手段（乗算部２５，２６に相当）と、自送信局に対応する共通パイロットシンボルを生成する共通パイロットシンボル生成手段（共通パイロットシンボル生成器５，６に相当）と、前記自送信局に対応する共通パイロットシンボルに対して前記逆拡散手段にて使用した拡散符号を乗算し、さらに当該乗算結果に対して前記伝搬路特性推定結果を乗算し、他の送信局に対応する減算手段に入力するためのレプリカを生成するレプリカ生成手段（乗算器７および乗算器９、または乗算器８および乗算器１０に相当）と、を備えることを特徴とする。
【００１４】
つぎの発明にかかるスペクトル拡散受信装置にあっては、前記レプリカ生成手段が生成する共通パイロットシンボルのレプリカに対して、定数値または受信条件に応じて設定可能な最適値を用いて重み付けを行うことを特徴とする。
【００１５】
つぎの発明にかかるスペクトル拡散受信装置にあっては、２局以上の送信局から共通パイロット信号と所望信号で構成される受信信号を受け取り、その後の処理を当該送信局単位に実行する構成とし、前記送信局単位に、前記受信信号を逆拡散する逆拡散手段と、当該逆拡散結果から伝搬路特性を推定する伝搬路特性推定手段と、前記逆拡散結果と当該伝搬路特性推定結果の複素共役とを乗算する乗算手段と、前記伝送路推定結果に基づいて、自送信局に対応する受信信号と他の送信局が送信する共通パイロット信号との相関成分を計算する相関成分計算手段（相関成分計算機３３，３４に相当）と、当該乗算後の信号から、他の相関成分計算手段にて計算された相関成分を減算する減算手段（減算器３１，３２に相当）と、を備えることを特徴とする。
【００１６】
つぎの発明にかかるスペクトル拡散受信装置にあっては、前記相関成分計算手段にて計算された相関成分に対して、定数値または受信条件に応じて設定可能な最適値を用いて重み付けを行うことを特徴とする。
【００１７】
つぎの発明にかかるスペクトル拡散受信装置にあっては、２局以上の送信局から共通パイロット信号と所望信号で構成される受信信号を受け取り、その後の処理を当該送信局単位に実行する構成とし、前記送信局単位に、前記受信信号から、他の送信局からの共通パイロット信号のレプリカを減算する減算手段と、当該減算結果に基づいて所望信号を逆拡散する複数の逆拡散手段と、当該各逆拡散結果から伝搬路特性を個別に推定する複数の伝搬路特性推定手段と、前記各逆拡散結果とそれに対応する当該伝搬路特性推定結果の複素共役とを個別に乗算する複数の乗算手段と、自送信局に対応する共通パイロットシンボルを生成する共通パイロットシンボル生成手段と、前記自送信局に対応する共通パイロットシンボルに対して前記逆拡散手段にて使用した共通の拡散符号を乗算し、さらに当該乗算結果に対して前記各伝搬路特性推定結果を個別に乗算し、各乗算結果を到来波の遅延分に応じて遅延加算することで、他の送信局に対応する減算手段に入力するためのレプリカを生成するレプリカ生成手段（乗算器７，乗算器９，遅延器４１および加算器４３、または乗算器８，乗算器１０，遅延器４２，加算器４４に相当）と、を備えることを特徴とする。
【００１８】
つぎの発明にかかるスペクトル拡散受信装置にあっては、前記レプリカ生成手段が生成する共通パイロットシンボルのレプリカに対して、定数値または受信条件に応じて設定可能な最適値を用いて重み付けを行うことを特徴とする。
【００１９】
つぎの発明にかかるスペクトル拡散受信装置にあっては、２局以上の送信局から共通パイロット信号と所望信号で構成される受信信号を受け取り、その後の処理を当該送信局単位に実行する構成とし、前記送信局単位に、前記受信信号を逆拡散する複数の逆拡散手段と、当該各逆拡散結果から伝搬路特性を個別に推定する複数の伝搬路特性推定手段と、前記各逆拡散結果とそれに対応する当該伝搬路特性推定結果の複素共役とを個別に乗算する乗算手段と、前記各伝送路推定結果に基づいて、自送信局に対応する受信信号と他の送信局が送信する共通パイロット信号との相関成分を個別に計算する相関成分計算手段（相関成分計算機３３ａ，３４ａに相当）と、当該各乗算結果から、他の相関成分計算手段にて計算された相関成分を個別に減算する複数の減算手段と、を備えることを特徴とする。
【００２０】
つぎの発明にかかるスペクトル拡散受信装置にあっては、前記相関成分計算手段にて個別に計算された各相関成分に対して、定数値または受信条件に応じて設定可能な最適値を用いて重み付けを行うことを特徴とする。
【００２１】
【発明の実施の形態】
以下に、本発明にかかるスペクトル拡散受信装置の実施の形態を図面に基づいて詳細に説明する。なお、この実施の形態によりこの発明が限定されるものではない。
【００２２】
実施の形態１．
図１は、本発明にかかるスペクトル拡散受信装置の実施の形態１の構成を示す図である。ここでは、２つのフィンガでそれぞれ別の送信局からの信号を受け取る場合について説明する。
【００２３】
図１において、１，２は減算器であり、３，４はフィンガであり、５，６は共通パイロットシンボル生成器であり、７，８，９，１０は乗算器である。また、フィンガ３および４において、２１，２２は所望信号の逆拡散処理部であり、２３，２４は伝搬路特性推定部であり、２５，２６は乗算器であり、２７，２８は遅延器である。
【００２４】
上記スペクトル拡散受信装置は、たとえば、２局以上の送信局からの送信信号を同時に受信する。すなわち、上記２つ以上の送信局が、スペクトル拡散受信装置に対する所望信号と、共通パイロット信号と、を符号多重した上で送信し、上記スペクトル拡散受信装置が、各送信局からの共通パイロット信号と所望信号とを受け取り、各共通パイロット信号のレプリカを個別に生成する。
【００２５】
以下、上記のように構成されるスペクトル拡散受信装置の動作を説明する。ここでは、説明の便宜上、スペクトル拡散受信装置が２つの異なる送信局から信号を受信する場合について説明する。まず、減算器１では、受信信号と後述する他局の干渉レプリカとを受け取り、その減算結果を出力する。一方、減算器２でも、受信信号と他局の干渉レプリカとを受け取り、その減算結果を出力する。
【００２６】
減算器１からの減算結果を受け取ったフィンガ３では、まず、逆拡散処理部２１が、当該減算結果に基づいて所望信号の逆拡散処理結果を出力する。つぎに、伝搬路特性推定部２３が、上記逆拡散処理結果から伝搬路特性を推定し、その推定結果を出力する。最後に、乗算器２５が、上記所望信号の逆拡散処理結果と上記推定結果の複素共役とを乗算し、その乗算結果を、遅延器２７を介して出力する。一方、減算器２からの減算結果を受け取ったフィンガ４では、まず、逆拡散処理部２２が、当該減算結果に基づいて所望信号の逆拡散処理結果を出力する。つぎに、伝搬路特性推定部２４が、上記逆拡散処理結果から伝搬路特性を推定し、その推定結果を出力する。最後に、乗算器２６が、上記所望信号の逆拡散処理結果と上記推定結果の複素共役とを乗算し、その乗算結果を、遅延器２８を介して出力する。
【００２７】
また、共通パイロットシンボル生成器５では、フィンガ３が対応する送信局の共通パイロットシンボルを生成し、さらに、ここで生成された共通パイロットシンボルには、乗算器９にて拡散符号が乗算される。そして、乗算器７では、乗算器９の乗算結果に前記伝搬路特性推定結果を乗算し、当該乗算結果として、減算器２に入力するための干渉レプリカを出力する。一方、共通パイロットシンボル生成器６では、フィンガ４が対応する送信局の共通パイロットシンボルを生成し、さらに、ここで生成された共通パイロットシンボルには、乗算器１０にて拡散符号が乗算される。そして、乗算器８では、乗算器１０の乗算結果に前記伝搬路特性推定結果を乗算し、当該乗算結果として、減算器１に入力するための干渉レプリカを出力する。
【００２８】
このように、本実施の形態においては、各フィンガが、受信信号から他局が送信した共通パイロットシンボルのレプリカを除去した信号、すなわち、干渉成分除去後の信号、を処理するため、その結果、信号電力対干渉電力比（ＳＩＲ）を向上させることができ、さらには所望信号の受信特性を向上させることもできる。
【００２９】
また、本実施の形態においては、従来のスペクトル拡散受信装置と比較して、共通パイロットシンボル生成器５，６と乗算器７，８，９，１０と減算器１，２を追加することにより、それぞれの干渉レプリカを生成する。具体的にいうと、２局からの送信信号を受信するスペクトル拡散受信装置では、既知の共通パイロット信号、および所望信号の拡散符号および伝搬路推定情報、を復調処理に使用しているため、干渉レプリカの生成にあたり新たにＨ／Ｗを設けることなく、当該既知の共通パイロット信号、拡散符号および伝搬路推定情報を流用して干渉レプリカ信号を生成する。これにより、本実施の形態においては、小規模なＨ／Ｗ規模および少ない消費電力で干渉成分を除去できる。
【００３０】
また、本実施の形態においては、受信信号から干渉レプリカを除去することにより、伝搬路推定精度が向上し、さらに、その後に生成する干渉レプリカの精度も向上する。すなわち、上記フィードバック動作を繰り返し実施した場合は、干渉レプリカの除去効果を向上させることができるため、干渉除去を実施せずに干渉レプリカを算出した場合と比較して、大幅に受信特性を向上させることができる。
【００３１】
実施の形態２．
実施の形態２においては、前述の共通パイロットシンボル生成器５および６出力のパイロットシンボル値に定数αを乗算する。ただし、定数αは、０以上１．０未満の値であり、たとえば、定数値、または受信条件に応じて設定する最適値である。なお、装置の構成については前述の実施の形態１と同様であるため、その説明を省略する。
【００３２】
このように、本実施の形態においては、前述の実施の形態１と同様の効果が得られるとともに、さらに、各パイロットシンボル生成器の出力がパイロットシンボル値に定数αを乗算した値であるため、干渉レプリカ信号の精度が劣化した場合においても、受信信号から干渉レプリカ信号を減算する処理において、干渉レプリカ信号の精度劣化による誤差の影響を抑制することができ、その結果、受信特性の劣化を防止できる。また、変数αが上記最適値である場合は、変数αが固定値である場合よりも干渉成分除去が効果的に実現できるため、さらに受信特性を向上させることができる。
【００３３】
実施の形態３．
図２は、本発明にかかるスペクトル拡散受信装置の実施の形態３の構成を示す図である。ここでは、２つのフィンガでそれぞれ別の送信局から信号を受け取る場合について説明する。なお、前述の実施の形態１と同様の構成については、同一の符号を付してその説明を省略する。
【００３４】
図２において、３ａ，４ａはフィンガであり、３１，３２は減算器であり、３３，３４は相関成分計算器である。上記スペクトル拡散受信装置は、たとえば、２局以上の送信局からの送信信号を同時に受信する。すなわち、上記２つ以上の送信局が、スペクトル拡散受信装置に対する所望信号と、共通パイロット信号と、を符号多重した上で送信し、上記スペクトル拡散受信装置が、各送信局からの共通パイロット信号と所望信号とを受け取り、各受信信号と他局の送信する共通パイロット信号との相関成分を計算する。
【００３５】
以下、上記のように構成されるスペクトル拡散受信装置の動作を説明する。なお、ここでは、前述の実施の形態１と異なる動作についてのみ説明を行う。たとえば、受信信号を受け取ったフィンガ３ａでは、まず、逆拡散処理部２１が、当該減算結果に基づいて所望信号の逆拡散処理結果を出力する。つぎに、伝搬路特性推定部２３が、上記逆拡散処理結果から伝搬路特性を推定し、その推定結果を出力する。つぎに、乗算器２５が、上記所望信号の逆拡散処理結果と上記推定結果の複素共役とを乗算し、その乗算結果を出力する。最後に、減算器３１が、当該乗算結果から、他局が送信した共通パイロットシンボルの相関成分を減算し、その減算結果を、遅延器２７を介して出力する。
【００３６】
一方、受信信号を受け取ったフィンガ４ａでは、まず、逆拡散処理部２２が、当該減算結果に基づいて所望信号の逆拡散処理結果を出力する。つぎに、伝搬路特性推定部２４が、上記逆拡散処理結果から伝搬路特性を推定し、その推定結果を出力する。つぎに、乗算器２６が、上記所望信号の逆拡散処理結果と上記推定結果の複素共役とを乗算し、その乗算結果を出力する。最後に、減算器３２が、当該乗算結果から、他局が送信した共通パイロットシンボルの相関成分を減算し、その減算結果を、遅延器２８を介して出力する。
【００３７】
また、相関成分計算器３３では、図２に示すとおり、伝搬路特性推定部２３出力の伝搬路特性推定結果に基づいて、当該伝搬路推定値と他の送信局が送信する予め既知の共通パイロット信号との相関を演算することにより、フィンガ３ａにて受信する共通パイロット信号がフィンガ４ａの受信信号に与える影響を求める。一方、相関成分計算器３４では、伝搬路特性推定部２４出力の伝搬路特性推定結果に基づいて、当該伝搬路推定値と他の送信局が送信する予め既知の共通パイロット信号との相関を演算することにより、フィンガ４ａにて受信する共通パイロット信号がフィンガ３ａの受信信号に与える影響を求める。
【００３８】
このように、本実施の形態においては、前述の実施の形態１と同様の効果が得られるとともに、各フィンガが、逆拡散信号から、他局が送信した共通パイロットシンボルの相関成分を除去するため、その結果、信号電力対干渉電力比（ＳＩＲ）および受信特性をさらに大幅に向上させることができる。
【００３９】
また、本実施の形態においては、従来のスペクトル拡散受信装置と比較して、相関成分計算器３３，３４と減算器３１，３２を追加することにより、干渉成分を除去する。具体的にいうと、２局からの送信信号を受信するスペクトル拡散受信装置では、既知の共通パイロット信号、所望信号の拡散符号および伝搬路推定情報、を復調処理に使用しているため、上記相関成分の計算にあたり新たにＨ／Ｗを設けることなく、当該既知の共通パイロット信号、拡散符号および伝搬路推定情報を流用する。また、共通パイロットシンボルが既知であるため、受信信号から逆拡散して仮判定する必要がなく、共通パイロットシンボル仮判定回路が不要となる。これにより、本実施の形態においては、小規模なＨ／Ｗ規模および少ない消費電力で干渉成分を除去できる。
【００４０】
また、実施の形態１では干渉レプリカ信号の除去処理がチップレートであったのに対し、本実施の形態においては、相関成分の除去処理がシンボルレートであり、動作レートが低減できるため、処理量および消費電力をさらに大幅に低減できる。
【００４１】
実施の形態４．
実施の形態４においては、前述の相関成分計算器３３および３４出力の相関成分に定数αを乗算する。ただし、定数αは、０以上１．０未満の値であり、たとえば、定数値、または受信条件に応じて設定する最適値である。なお、装置の構成については前述の実施の形態３と同様であるため、その説明を省略する。
【００４２】
このように、本実施の形態においては、前述の実施の形態３と同様の効果が得られるとともに、さらに、各相関成分計算器の出力が相関成分に定数αを乗算した値であるため、相関成分の精度が劣化した場合においても、逆拡散信号から相関成分を減算する処理において、相関成分の精度劣化による誤差の影響を低減することができ、その結果、受信特性の劣化を防止できる。また、変数αが上記最適値である場合は、変数αが固定値である場合よりも干渉成分除去が効果的に実現できるため、さらに受信特性を向上させることができる。
【００４３】
実施の形態５．
図３は、本発明にかかるスペクトル拡散受信装置の実施の形態５の構成を示す図である。ここでは、３つ以上のフィンガを単位として、それぞれ別の送信局から信号を受け取る場合について説明する。なお、前述の実施の形態１と同様の構成については、同一の符号を付してその説明を省略する。
【００４４】
図３において、３ｂ，４ｂはフィンガ群を構成するフィンガであり、４１，４２は遅延器であり、４３，４４は加算器である。なお、フィンガ３ｂ、フィンガ３ｂと同一の送信局からの信号を処理するフィンガ、フィンガ４ｂ、およびフィンガ４ｂと同一の送信局からの信号を処理するフィンガ、の内部構成は、前述のフィンガ３，３ａ，４および４ａと同一である。上記スペクトル拡散受信装置は、たとえば、２局以上の送信局からの送信信号を同時に受信する。すなわち、上記２つ以上の送信局が、スペクトル拡散受信装置に対する所望信号と、共通パイロット信号と、を符号多重した上で送信し、上記スペクトル拡散受信装置が、各送信局からの共通パイロット信号と所望信号とを受け取り、各共通パイロット信号のレプリカを個別に生成し、当該レプリカを共通パイロット信号の到来波に応じて遅延加算する。
【００４５】
以下、上記のように構成されるスペクトル拡散受信装置の動作を説明する。ここでは、説明の便宜上、スペクトル拡散受信装置が２つの異なる送信局から信号を受信する場合について説明する。まず、減算器１では、受信信号と後述する他局の干渉レプリカ（遅延加算後の干渉レプリカ）を受け取り、その減算結果を出力する。一方、減算器２でも、受信信号と他局の干渉レプリカ（遅延加算後の干渉レプリカ）とを受け取り、その減算結果を出力する。
【００４６】
減算器１からの減算結果を受け取ったフィンガ３ｂおよびフィンガ３ｂと同一の送信局からの信号を処理するフィンガでは、まず、逆拡散処理部２１が、当該減算結果に基づいて所望信号の逆拡散処理結果を出力する。つぎに、伝搬路特性推定部２３が、上記逆拡散処理結果から伝搬路特性を推定し、その推定結果を出力する。最後に、乗算器２５が、上記所望信号の逆拡散処理結果と上記推定結果の複素共役とを乗算し、その乗算結果を、遅延器２７を介して出力する。一方、減算器２からの減算結果を受け取ったフィンガ４ｂおよびフィンガ４ｂと同一の送信局からの信号を処理するフィンガでは、まず、逆拡散処理部２２が、当該減算結果に基づいて所望信号の逆拡散処理結果を出力する。つぎに、伝搬路特性推定部２４が、上記逆拡散処理結果から伝搬路特性を推定し、その推定結果を出力する。最後に、乗算器２６が、上記所望信号の逆拡散処理結果と上記推定結果の複素共役とを乗算し、その乗算結果を、遅延器２８を介して出力する。
【００４７】
また、共通パイロットシンボル生成器５では、フィンガ３ｂおよびフィンガ３ｂと同一の送信局からの信号を処理するフィンガが対応する送信局の共通パイロットシンボルを生成し、さらに、ここで生成された共通パイロットシンボルには、乗算器９にて拡散符号が乗算される。また、各フィンガに個別に対応する乗算器７では、乗算器９の乗算結果に前記各伝搬路特性推定結果を個別に乗算し（各到来波に対応する干渉レプリカ生成）、さらに、各フィンガに個別に対応する遅延器４１では、当該各乗算結果を到来波の遅延分だけ遅延させる。そして、加算器４３では、当該各遅延後の信号を加算し、当該加算結果として、減算器２に入力するための干渉レプリカ（各到来波に対応する干渉レプリカの合計）を出力する。
【００４８】
一方、共通パイロットシンボル生成器６では、フィンガ４ｂおよびフィンガ４ｂと同一の送信局からの信号を処理するフィンガが対応する送信局の共通パイロットシンボルを生成し、さらに、ここで生成された共通パイロットシンボルには、乗算器１０にて拡散符号が乗算される。また、各フィンガに個別に対応する乗算器８では、乗算器１０の乗算結果に前記伝搬路特性推定結果を個別に乗算し（各到来波に対応する干渉レプリカ生成）、さらに、各フィンガに個別に対応する遅延器４２では、当該各乗算結果を到来波の遅延分だけ遅延させる。そして、加算器４４では、当該各遅延後の信号を加算し、当該加算結果として、減算器１に入力するための干渉レプリカ（各到来波に対応する干渉レプリカの合計）を出力する。
【００４９】
このように、本実施の形態においては、各フィンガが、受信信号から他局が送信した共通パイロットシンボルのレプリカを除去した信号、すなわち、干渉成分除去後の信号、を処理するため、その結果、信号電力対干渉電力比（ＳＩＲ）を向上させることができ、さらには所望信号の受信特性を向上させることもできる。
【００５０】
また、本実施の形態においては、従来のスペクトル拡散受信装置と比較して、共通パイロットシンボル生成器５，６と乗算器７，８，９，１０と遅延器４１，４２と加算器４３，４４と減算器１，２を追加することにより、それぞれの干渉レプリカを生成する。具体的にいうと、２局からの送信信号を受信するスペクトル拡散受信装置では、既知の共通パイロット信号、および所望信号の拡散符号および伝搬路推定情報、を復調処理に使用しているため、干渉レプリカの生成にあたり新たにＨ／Ｗを設けることなく、当該既知の共通パイロット信号、拡散符号および伝搬路推定情報を流用して干渉レプリカ信号を生成する。これにより、本実施の形態においては、小規模なＨ／Ｗ規模および少ない消費電力でより精度良く干渉成分を除去できる。
【００５１】
また、本実施の形態においては、受信信号から干渉レプリカを除去することにより、伝搬路推定精度が向上し、さらに、その後に生成する干渉レプリカの精度も向上する。すなわち、上記フィードバック動作を繰り返し実施した場合は、干渉レプリカの除去効果を向上させることができるため、干渉除去を実施せずに干渉レプリカを算出した場合と比較して、大幅に受信特性を向上させることができる。
【００５２】
実施の形態６．
実施の形態６においては、前述の共通パイロットシンボル生成器５および６出力のパイロットシンボル値に定数αを乗算する。ただし、定数αは、０以上１．０未満の値であり、たとえば、定数値、または受信条件に応じて設定する最適値である。なお、装置の構成については前述の実施の形態５と同様であるため、その説明を省略する。
【００５３】
このように、本実施の形態においては、前述の実施の形態５と同様の効果が得られるとともに、さらに、各パイロットシンボル生成器の出力がパイロットシンボル値に定数αを乗算した値であるため、干渉レプリカ信号の精度が劣化した場合においても、受信信号から干渉レプリカ信号を減算する処理において、干渉レプリカ信号の精度劣化による誤差の影響を抑制することができ、その結果、受信特性の劣化を防止できる。また、変数αが上記最適値である場合は、変数αが固定値である場合よりも干渉成分除去が効果的に実現できるため、さらに受信特性を向上させることができる。
【００５４】
実施の形態７．
図４は、本発明にかかるスペクトル拡散受信装置の実施の形態７の構成を示す図である。ここでは、３つ以上のフィンガを単位として、それぞれ別の送信局から信号を受け取る場合について説明する。なお、前述の実施の形態１〜６と同様の構成については、同一の符号を付してその説明を省略する。
【００５５】
図４において、３ｃ，４ｃはフィンガ群を構成するフィンガであり、３３ａ，３４ａは相関成分計算器である。上記スペクトル拡散受信装置は、たとえば、２局以上の送信局からの送信信号を同時に受信する。すなわち、上記２つ以上の送信局が、スペクトル拡散受信装置に対する所望信号と、共通パイロット信号と、を符号多重した上で送信し、上記スペクトル拡散受信装置が、各送信局からの共通パイロット信号と所望信号とを受け取り、フィンガ単位に、すなわち、所望信号の到来波単位に、各受信信号と他局の送信する共通パイロット信号との相関成分を計算する。
【００５６】
以下、上記のように構成されるスペクトル拡散受信装置の動作を説明する。なお、ここでは、前述の実施の形態５と異なる動作についてのみ説明を行う。たとえば、受信信号を受け取ったフィンガ３ｃおよびフィンガ３ｃと同一の送信局からの信号を処理するフィンガでは、まず、逆拡散処理部２１が、当該減算結果に基づいて所望信号の逆拡散処理結果を出力する。つぎに、伝搬路特性推定部２３が、上記逆拡散処理結果から伝搬路特性を推定し、その推定結果を出力する。つぎに、乗算器２５が、上記所望信号の逆拡散処理結果と上記推定結果の複素共役とを乗算し、その乗算結果を出力する。最後に、減算器３１が、当該乗算結果から、他局が送信した共通パイロットシンボルの相関成分を減算し、その減算結果を、遅延器２７を介して出力する。
【００５７】
一方、受信信号を受け取ったフィンガ４ｃおよびフィンガ４ｃと同一の送信局からの信号を処理するフィンガでは、まず、逆拡散処理部２２が、当該減算結果に基づいて所望信号の逆拡散処理結果を出力する。つぎに、伝搬路特性推定部２４が、上記逆拡散処理結果から伝搬路特性を推定し、その推定結果を出力する。つぎに、乗算器２６が、上記所望信号の逆拡散処理結果と上記推定結果の複素共役とを乗算し、その乗算結果を出力する。最後に、減算器３２が、当該乗算結果から、他局が送信した共通パイロットシンボルの相関成分を減算し、その減算結果を、遅延器２８を介して出力する。
【００５８】
また、相関成分計算器３３ａでは、各フィンガに個別に対応する伝搬路特性推定部２３出力の伝搬路特性推定結果に基づいて、フィンガ３ｃにて受信する基地局が送信する共通パイロット信号がフィンガ４ｃの受信信号に与える影響、すなわち、その相関成分を、フィンガ単位に個別に計算する。一方、相関成分計算器３４ａでは、各フィンガに個別に対応する伝搬路特性推定部２４出力の伝搬路特性推定結果に基づいて、フィンガ４ｃにて受信する基地局が送信する共通パイロット信号がフィンガ３ｃの受信信号に与える影響、すなわち、その相関成分を、フィンガ単位に個別に計算する。
【００５９】
このように、本実施の形態においては、前述の実施の形態５と同様の効果が得られるとともに、各フィンガが、逆拡散信号から、他局が送信した共通パイロットシンボルの相関成分を除去するため、その結果、信号電力対干渉電力比（ＳＩＲ）および受信特性をさらに大幅に向上させることができる。
【００６０】
また、本実施の形態においては、従来のスペクトル拡散受信装置と比較して、相関成分計算器３３ａ，３４ａと減算器３１，３２を追加することにより、干渉成分を除去する。具体的にいうと、２局からの送信信号を受信するスペクトル拡散受信装置では、既知の共通パイロット信号、所望信号の拡散符号および伝搬路推定情報、を復調処理に使用しているため、上記相関成分の計算にあたり新たにＨ／Ｗを設けることなく、当該既知の共通パイロット信号、拡散符号および伝搬路推定情報を流用する。また、共通パイロットシンボルが既知であるため、受信信号から逆拡散して仮判定する必要がなく、共通パイロットシンボル仮判定回路が不要となる。これにより、本実施の形態においては、小規模なＨ／Ｗ規模および少ない消費電力で干渉成分を除去できる。
【００６１】
また、実施の形態５では干渉レプリカ信号の除去処理がチップレートであったのに対し、本実施の形態においては、相関成分の除去処理がシンボルレートであり、動作レートが低減できるため、処理量および消費電力をさらに大幅に低減できる。
【００６２】
実施の形態８．
実施の形態８においては、前述の相関成分計算器３３ａおよび３４ａ出力の相関成分に定数αを乗算する。ただし、定数αは、０以上１．０未満の値であり、たとえば、定数値、または受信条件に応じて設定する最適値である。なお、装置の構成については前述の実施の形態７と同様であるため、その説明を省略する。
【００６３】
このように、本実施の形態においては、前述の実施の形態７と同様の効果が得られるとともに、さらに、各相関成分計算器の出力が相関成分に定数αを乗算した値であるため、相関線分の精度が劣化した場合においても、逆拡散信号から相関成分を減算する処理において、相関成分の精度劣化による誤差の影響を低減することができ、その結果、受信特性の劣化を防止できる。また、変数αが上記最適値である場合は、変数αが固定値である場合よりも干渉成分除去が効果的に実現できるため、さらに受信特性を向上させることができる。
【００６４】
【発明の効果】
以上、説明したとおり、本発明によれば、各フィンガ（逆拡散手段、伝搬路特性推定手段、乗算手段に対応）が、受信信号から他局が送信した共通パイロットシンボルのレプリカを除去した信号、すなわち、干渉成分除去後の信号、を処理するため、その結果、信号電力対干渉電力比（ＳＩＲ）を向上させることができ、さらには所望信号の受信特性を向上させることもできる、という効果を奏する。また、新たにＨ／Ｗを設けることなく、当該既知の共通パイロット信号、拡散符号および伝搬路推定情報を流用して干渉レプリカ信号を生成するため、小規模なＨ／Ｗ規模および少ない消費電力で干渉成分を除去できる、という効果を奏する。また、受信信号から干渉レプリカを除去し、その後、除去後の信号を用いて再度干渉レプリカを生成するような、フィードバック動作を繰り返し実施した場合は、干渉除去を実施せずに干渉レプリカを算出した場合と比較して、大幅に受信特性を向上させることができる、という効果を奏する。
【００６５】
つぎの発明によれば、さらに、各パイロットシンボル生成手段の出力がパイロットシンボル値に対して、たとえば、定数αを乗算した値であるため、干渉レプリカ信号の精度が劣化した場合においても、干渉レプリカ信号の精度劣化による誤差の影響を抑制することができ、その結果、受信特性の劣化を防止できる、という効果を奏する。また、変数αが上記最適値である場合は、変数αが固定値である場合よりも干渉成分除去が効果的に実現できるため、さらに受信特性を向上させることができる、という効果を奏する。
【００６６】
つぎの発明によれば、各フィンガ（逆拡散手段、伝搬路特性推定手段、乗算手段、減算手段に対応）が、逆拡散信号から、他局が送信した共通パイロットシンボルの相関成分を除去するため、信号電力対干渉電力比（ＳＩＲ）および受信特性をさらに大幅に向上させることができる、という効果を奏する。また、新たにＨ／Ｗを設けることなく、当該既知の共通パイロット信号、拡散符号および伝搬路推定情報を流用する構成としたため、小規模なＨ／Ｗ規模および少ない消費電力で干渉成分を除去できる、という効果を奏する。また、相関成分の除去処理がシンボルレートであり、動作レートが低減できるため、処理量および消費電力をさらに大幅に低減できる、という効果を奏する。
【００６７】
つぎの発明によれば、さらに、各相関成分計算手段の出力が相関成分に対して、たとえば、定数αを乗算した値であるため、相関線分の精度が劣化した場合においても、相関成分の精度劣化による誤差の影響を低減することができ、その結果、受信特性の劣化を防止できる、という効果を奏する。また、変数αが上記最適値である場合は、変数αが固定値である場合よりも干渉成分除去が効果的に実現できるため、さらに受信特性を向上させることができる、という効果を奏する。
【００６８】
つぎの発明によれば、各フィンガ（逆拡散手段、伝搬路特性推定手段、乗算手段に対応）が、受信信号から他局が送信した共通パイロットシンボルのレプリカを除去した信号、すなわち、干渉成分除去後の信号、を処理するため、信号電力対干渉電力比（ＳＩＲ）を向上させることができ、さらには所望信号の受信特性を向上させることもできる、という効果を奏する。また、新たにＨ／Ｗを設けることなく、当該既知の共通パイロット信号、拡散符号および伝搬路推定情報を流用して干渉レプリカ信号を生成するため、小規模なＨ／Ｗ規模および少ない消費電力でより精度良く干渉成分を除去できる、という効果を奏する。
【００６９】
つぎの発明によれば、さらに、各パイロットシンボル生成手段の出力がパイロットシンボル値に対して、たとえば、定数αを乗算した値であるため、干渉レプリカ信号の精度が劣化した場合においても、受信信号から干渉レプリカ信号を減算する処理において、干渉レプリカ信号の精度劣化による誤差の影響を抑制することができ、その結果、受信特性の劣化を防止できる、という効果を奏する。また、変数αが上記最適値である場合は、変数αが固定値である場合よりも干渉成分除去が効果的に実現できるため、さらに受信特性を向上させることができる、という効果を奏する。
【００７０】
つぎの発明によれば、各フィンガ（逆拡散手段、伝搬路特性推定手段、乗算手段、減算手段に対応）が、逆拡散信号から、他局が送信した共通パイロットシンボルの相関成分を除去するため、信号電力対干渉電力比（ＳＩＲ）および受信特性をさらに大幅に向上させることができる、という効果を奏する。また、新たにＨ／Ｗを設けることなく、当該既知の共通パイロット信号、拡散符号および伝搬路推定情報を流用する構成としたため、小規模なＨ／Ｗ規模および少ない消費電力で干渉成分を除去できる。
【００７１】
つぎの発明によれば、さらに、各相関成分計算手段の出力が相関成分に対して、たとえば、定数αを乗算した値であるため、相関線分の精度が劣化した場合においても、逆拡散信号から相関成分を減算する処理において、相関成分の精度劣化による誤差の影響を低減することができ、その結果、受信特性の劣化を防止できる、という効果を奏する。また、変数αが上記最適値である場合は、変数αが固定値である場合よりも干渉成分除去が効果的に実現できるため、さらに受信特性を向上させることができる、という効果を奏する。
【図面の簡単な説明】
【図１】  本発明にかかるスペクトル拡散受信装置の実施の形態１および２の構成を示す図である。
【図２】  本発明にかかるスペクトル拡散受信装置の実施の形態３および４の構成を示す図である。
【図３】  本発明にかかるスペクトル拡散受信装置の実施の形態５および６の構成を示す図である。
【図４】  本発明にかかるスペクトル拡散受信装置の実施の形態７および８の構成を示す図である。
【図５】  従来のスペクトル拡散受信装置の構成を示す図である。
【符号の説明】
１，２  減算器、３，３ａ，３ｂ，３ｃ，４，４ａ，４ｂ，４ｃ  フィンガ、５，６  共通パイロットシンボル生成器、７，８，９，１０  乗算器、２１，２２  逆拡散処理部、２３，２４  伝搬路特性推定部、２５，２６  乗算器、２７，２８  遅延器、３１，３２  減算器、３３，３３ａ，３４，３４ａ  相関成分計算器、４１，４２  遅延器、４３，４４  加算器。
【図１】
0003886709.tif 000002
【図２】
0003886709.tif 000003
【図３】
0003886709.tif 000004
【図４】
0003886709.tif 000005
【図５】
0003886709.tif 000006